【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
冷却システムを制御する方法であって、前記冷却システムは、圧縮器と、凝縮器と、蒸発器とを含む液密な循環ループ内に配置された冷媒を備え、前記冷媒は、液化状態、気体状態、ならびに前記液化状態にある冷媒および前記気体状態にある冷媒の両方を備える二相状態で存在することができ、前記蒸発器は出口孔と複数の蒸発器ゾーンを直列に有し、各蒸発器ゾーンは蒸発器ゾーン入口孔を有し、前記方法は、
（ａ）気体状態にある冷媒を前記圧縮器内で圧縮し、前記冷媒を前記凝縮器内で冷却して、前記液化状態の冷媒を得るステップと、
（ｂ）冷媒を前記凝縮器から各蒸発器ゾーンの前記入口孔を介して前記蒸発器内へと流動させるステップであって、前記冷媒は部分的に二相状態で存在している、ステップと、
（ｃ）冷媒を前記蒸発器から前記圧縮器へと流動させるステップと、
（ｄ）ステップ（ａ）〜ステップ（ｃ）を繰り返すステップと、
（ｅ）前記冷媒の状態を、前記蒸発器内において前記出口孔の上流に配置された冷媒状態センサで測定するステップと、
（ｆ）ステップ（ｂ）における前記蒸発器への冷媒の流量を、ステップ（ｅ）からの前記冷媒の測定された冷媒状態に基づいて制御するステップと、を備える方法。
【請求項２】
前記蒸発器は少なくとも３つの蒸発器ゾーンを有する、請求項１に記載の方法。
【請求項３】
前記複数の蒸発器ゾーンは、連続的な長さのチューブによって提供される、請求項１に記載の方法。
【請求項４】
前記連続的な長さのチューブは、最も上流側の蒸発器ゾーンの前記入口孔から前記蒸発器の前記出口孔へ継続的かつ滑らかに膨張する、請求項３に記載の方法。
【請求項５】
ステップ（ｅ）における前記冷媒状態の前記測定は、複数の冷媒状態センサによって行われる、請求項１に記載の方法。
【請求項６】
ステップ（ｅ）における前記冷媒状態の前記測定は、前記蒸発器ゾーンのそれぞれの内部に配置された冷媒状態センサによって行われる、請求項５に記載の方法。
【請求項７】
ステップ（ｆ）における前記蒸発器への前記冷媒の流量の前記制御は、前記蒸発器ゾーンのそれぞれへの前記冷媒の流量を個別の制御器によって制御することによって行われる、請求項６に記載の方法。
【請求項８】
ステップ（ｂ）における前記凝縮器から前記蒸発器内への冷媒の前記流動は、前記凝縮器の下流かつ前記蒸発器の上流に配置された予冷器において前記冷媒を冷却した後に行われる、請求項１に記載の方法。
【請求項９】
ステップ（ｂ）における前記凝縮器から前記蒸発器内への冷媒の前記流動は、前記凝縮器の下流かつ前記蒸発器の上流に配置され、気化する冷媒と熱的に接触する予冷器における気化する冷媒との熱的接触によって前記冷媒を冷却した後に行われる、請求項１に記載の方法。
【請求項１０】
前記蒸発器を出た前記冷媒の一部を前記蒸発器ゾーンのそれぞれの前記入口孔へと流動させる追加のステップを備える、請求項１に記載の方法。
【請求項１１】
全ての負荷状態において蒸発器それぞれの内部体積と平衡状態に前記蒸発器内の二相冷媒の体積を維持するように動作する蒸気昇圧器を介して、前記蒸発器を出た前記冷媒の一部を前記蒸発器ゾーンのそれぞれの前記入口孔へと流動させる追加のステップを備える、請求項１に記載の方法。
【請求項１２】
前記凝縮器は複数の凝縮器ゾーンを有し、各凝縮器ゾーンは凝縮器ゾーン入口孔を有する、請求項１に記載の方法。
【請求項１３】
冷却システムであって、
（ａ）圧縮器と、凝縮器と、蒸発器とを含む液密な循環ループであって、前記循環ループは、液化状態、気体状態、ならびに前記液化状態にある冷媒および前記気体状態にある冷媒の両方を備える二相状態で存在することができる冷媒を、連続的に循環させるように構成され、前記蒸発器は出口孔と複数の蒸発器ゾーンを直列に有し、各蒸発器ゾーンは入口孔を有し、前記循環ループは、（ｉ）気体状態にある冷媒を前記圧縮器内で圧縮し、前記冷媒を前記凝縮器内で冷却して、前記液化状態の冷媒を得るステップと、（ｉｉ）冷媒を前記凝縮器から各蒸発器ゾーンの前記入口孔を介して前記蒸発器内へと流動させるステップであって、前記冷媒は部分的に二相状態で存在している、ステップと、（ｉｉｉ）冷媒を前記蒸発器から前記圧縮器へと流動させるステップと、（ｉｖ）ステップ（ｉ）〜ステップ（ｉｉｉ）を繰り返すステップと、（ｖ）前記冷媒の状態を、前記蒸発器内において前記蒸発器の出口孔の上流に配置された冷媒状態センサで測定するステップと、（ｖｉ）ステップ（ｉｉ）における前記蒸発器への冷媒の前記流動を、ステップ（ｖ）からの前記蒸発器内の前記冷媒の測定された状態に基づいて制御するステップと、を実行するようにさらに構成される、液密な循環ループと、
（ｂ）前記蒸発器への冷媒の流量を、前記蒸発器内における前記蒸発器の出口孔の上流の前記冷媒の測定された状態に基づいて制御するための制御器と
を備える冷却システム。
【請求項１４】
前記蒸発器は少なくとも３つの蒸発器ゾーンを有する、請求項１３に記載の冷却システム。
【請求項１５】
前記複数の蒸発器ゾーンは、連続的な長さのチューブによって提供される、請求項１３に記載の冷却システム。
【請求項１６】
前記連続的な長さのチューブは、最も上流側の蒸発器ゾーンの前記入口孔から前記蒸発器の前記出口孔へ継続的かつ滑らかに膨張する、請求項１５に記載の冷却システム。
【請求項１７】
（ａ）（ｖ）に記載された機能における前記冷媒状態の前記測定は、複数の冷媒状態センサによって行われる、請求項１３に記載の冷却システム。
【請求項１８】
（ａ）（ｖ）に記載された機能における前記冷媒状態の前記測定は、前記蒸発器ゾーンのそれぞれに配置された冷媒状態センサによって行われる、請求項１５に記載の冷却システム。
【請求項１９】
（ａ）（ｖｉ）に記載された機能における前記蒸発器への前記冷媒の流量の前記制御は、前記蒸発器ゾーンのそれぞれへの前記冷媒の流量を個別の制御器によって制御することによって行われる、請求項１８に記載の冷却システム。
【請求項２０】
前記凝縮器の下流かつ前記蒸発器の上流に配置された予冷器をさらに備え、（ａ）（ｉｉ）に記載された機能における前記凝縮器から前記蒸発器内への冷媒の前記流動は、前記予冷器において前記冷媒を冷却した後に行われる、請求項１３に記載の冷却システム。
【請求項２１】
前記蒸発器を出た前記冷媒の一部を前記蒸発器ゾーンのそれぞれの前記入口孔へと流動させるための再循環導管をさらに備える、請求項１３に記載の冷却システム。
【請求項２２】
全ての負荷状態において前記蒸発器内の二相冷媒を平衡状態に維持することができる蒸気圧昇圧器を備える、請求項２１に記載の冷却システム。
【請求項２３】
前記凝縮器は複数の凝縮器ゾーンを有し、各凝縮器ゾーンは凝縮器ゾーン入口孔を有する、請求項１３に記載の冷却システム。
【請求項２４】
代替的に、（ｉ）冷媒を、前記凝縮器へと最初に流動させることなしに、前記圧縮器の排出側から前記蒸発器の入口孔へと流動させ、（ｉｉ）前記蒸発器を出た冷媒を前記凝縮器の出口孔へと流動させ、（ｉｉｉ）冷媒を前記凝縮器の前記出口孔から前記凝縮器の入口孔へと流動させ、（ｉｖ）冷媒を前記凝縮器の入口孔から前記圧縮器の吸引側へと流動させるための反転導管および弁をさらに備える、請求項１３に記載の冷却システム。
【請求項２５】
前記反転導管および弁は、四方弁を備える、請求項２４に記載の冷却システム。
【請求項２６】
前記反転導管および弁は、凝縮器加温ラインと、前記蒸発器から前記凝縮器の前記出口へと流動する冷媒を使用して前記凝縮器の加温を制御するための凝縮器加温ライン制御器とを備える、請求項２５に記載の冷却システム。
【請求項２７】
前記蒸発器の下流に配置され、前記蒸発器から前記凝縮器の前記出口へと流動する冷媒を加熱するための加熱器をさらに備える、請求項２６に記載の冷却システム。
【請求項２８】
前記蒸発器の下流に配置され、前記蒸発器を出た前記冷媒の流れから液体冷媒およびオイルを分離するためのドロップレッグと、前記ドロップレッグの下流に配置され、前記蒸発器を出た前記冷媒から分離された前記液体冷媒およびオイルを加熱し、前記冷媒から分離された前記液体冷媒およびオイルを前記凝縮器の前記出口へと流動させるための加熱器とをさらに備える、請求項２６に記載の冷却システム。
【請求項２９】
冷却システムであって、
（ａ）圧縮器と、凝縮器と、蒸発器とを含む液密な循環ループであって、前記循環ループは、液化状態、気体状態、ならびに前記液化状態にある冷媒および前記気体状態にある冷媒の両方を備える二相状態で存在することができる冷媒を、連続的に循環させるように構成され、前記蒸発器は出口孔と少なくとも１つの入口孔とを有し、前記循環ループは、（ｉ）気体状態にある冷媒を前記圧縮器内で圧縮し、前記冷媒を前記凝縮器内で冷却して、前記液化状態の冷媒を得るステップと、（ｉｉ）冷媒を前記凝縮器から前記蒸発器の入口孔を介して前記蒸発器内へと流動させるステップであって、前記冷媒は部分的に二相状態で存在している、ステップと、（ｉｉｉ）冷媒を前記蒸発器から前記圧縮器へと流動させるステップと、（ｉｖ）ステップ（ｉ）〜ステップ（ｉｉｉ）を繰り返すステップと、（ｖ）前記冷媒の状態を、冷媒状態センサで測定するステップと、（ｖｉ）ステップ（ｉｉ）における前記蒸発器への冷媒の前記流動を、ステップ（ｖ）からの前記冷媒の測定された状態に基づいて制御するステップと、を実行するようにさらに構成される、液密な循環ループと、
（ｂ）前記蒸発器への冷媒の流量を、前記冷媒の測定された状態に基づいて制御するための制御器と、
（ｃ）代替的に、（ｉ）冷媒を、前記凝縮器へと最初に流動させることなしに、前記圧縮器の排出側から前記蒸発器の入口孔へと流動させ、（ｉｉ）前記蒸発器を出た冷媒を前記凝縮器の出口孔へと流動させ、（ｉｉｉ）冷媒を前記凝縮器の前記出口孔から前記凝縮器を通って前記凝縮器の入口孔へと流動させ、（ｉｖ）冷媒を前記凝縮器の入口孔から前記圧縮器の吸引側へと流動させるための反転導管および弁と
を備える冷却システム。